【事件の表示】
　特許第３０３８３０７号「冷蔵庫の給水装置」の請求項１、２に係る特許に対する特許異議の申立てについて、次のとおり決定する。
【結　論】
　訂正を認める。
　特許第３０３８３０７号の請求項１および２に係る特許を維持する。
【理　由】
 １．手続の経緯
　特許第３０３８３０７号の発明についての出願は、平成７年１０月２３日に出願され、平成１２年２月２５日にその発明について特許の設定登録がなされ、その後、異議申立人株式会社　東芝により特許異議申立がなされ、平成１３年１１月２８日付け取消理由通知がなされ、その指定期間内である平成１４年２月８日に特許異議意見書および訂正請求書が提出されたものである。
　
２．訂正の適否についての判断
（１）訂正の内容
　特許権者が求めている訂正の内容は、上記訂正請求書に添付された全文訂正明細書に記載された、以下のａ〜ｆである。
ａ．請求項１に記載された
「【請求項１】 冷蔵庫本体に収納され、前記冷蔵庫本体内にて給水を行う冷蔵庫の給水装置において、前記冷蔵庫本体の収納物を冷却する室内に設けられ、給水を貯留する密閉されたタンクと、このタンク内に配設され、前記タンク内の水を吐出する、可動部に磁石を固定したポンプと、前記ポンプの外で前記タンクに隣接して固定され、可動部の磁石と前記ポンプの磁石と、それぞれの磁石を少なくとも前記タンク壁との間の隙間を介して対向させ、非接触にて回転力を前記タンクの外から前記タンクの中へ伝達させ、前記ポンプに駆動力を与える駆動手段と、前記ポンプと接続され、前記タンクに支持され、前記タンクの外へ給水するとともに、前記ポンプの位置を決めて固定する吐出手段とを備えたことを特徴とする冷蔵庫の給水装置。」
を
「【請求項１】 冷蔵庫本体に収納され、前記冷蔵庫本体内にて給水を行う冷蔵庫の給水装置において、前記冷蔵庫本体の収納物を冷却する室内に設けられ、給水を貯留する密閉されたタンクと、このタンク内に配設され、前記タンク内の水を吐出する、可動部に磁石を固定したポンプと、前記ポンプの外で前記タンクに隣接して固定され、可動部の磁石と前記ポンプの磁石と、それぞれの磁石を少なくとも前記タンク壁との間の隙間を介して対向させ、非接触にて回転力を前記タンクの外から前記タンクの中へ伝達させ、前記ポンプに駆動力を与える駆動手段と、前記ポンプと接続され、前記タンクに支持され、前記タンクの外へ給水するとともに、前記ポンプの位置を決めて固定する吐出手段であって、吐出口先端はタンク内の最大水位より上方に位置し、この吐出口先端から流出した水が水受け部を通る吐出手段とを備えたことを特徴とする冷蔵庫の給水装置。」
に訂正する。
　
ｂ．請求項２に記載された
「【請求項２】 タンクを収納するタンクホルダーを備え、駆動手段を前記タンクホルダーに固定したことを特徴とする請求項１記載の冷蔵庫の給水装置。」
を
「【請求項２】 タンクを収納する給水ホルダーを備え、駆動手段を前記タンクホルダーに固定したと共に、前記タンクと前記タンクホルダーの間の位置決めとしてラジアル方向の一方とスラスト方向を決めるガイドを設けたことを特徴とする請求項１記載の冷蔵庫の給水装置。」
に訂正する。
　
ｃ．明細書の段落【００１１】の
「前記ポンプの位置を決めて固定する吐出手段とを備えたものである。」
を　
「前記ポンプの位置を決めて固定する吐出手段であって、吐出口先端はタンク内の最大水位より上方に位置し、この吐出口先端から流出した水が水受け部を通る吐出手段とを備えたものである。」
に訂正する。
　
　ｄ．明細書の段落【００１２】の
「また、 タンクを収納するタンクホルダーを備え、駆動手段を前記タンクホルダーに固定したものである。」
を　
「また、 タンクを収納するタンクホルダーを備え、駆動手段を前記タンクホルダーに固定したと共に、前記タンクと前記タンクホルダーの間の位置決めとしてラジアル方向の一方とスラスト方向を決めるガイドを設けたものである。」
に訂正する。
　
ｅ．明細書の段落【００３８】の
「ポンプの位置を決めて固定する吐出手段とを備えたので、」
を　
「ポンプの位置を決めて固定する吐出手段であって、吐出口先端はタンク内の最大水位より上方に位置し、この吐出口先端から流出した水が水受け部を通る吐出手段とを備えているので、」
に訂正する。
　
ｆ．明細書の段落【００３９】の
「また、 タンクを収納するタンクホルダーを備え、駆動手段を前記タンクホルダーに固定したので、」
を　
「また、 タンクを収納するタンクホルダーを備え、駆動手段を前記タンクホルダーに固定したと共に、前記タンクと前記タンクホルダーの間の位置決めとしてラジアル方向の一方とスラスト方向を決めるガイドを設けたので、」
に訂正する。
　
（２）訂正の目的の適否、新規事項の有無及び拡張・変更の存否
イ．上記ａの訂正について
　上記ａの訂正では、請求項１に記載されていた
「前記ポンプの位置を決めて固定する吐出手段」
を
「前記ポンプの位置を決めて固定する吐出手段であって、吐出口先端はタンク内の最大水位より上方に位置し、この吐出口先端から流出した水が水受け部を通る吐出手段」
と限定し、同請求項をそれぞれ減縮したものである。
　そして、このａの訂正に関連する記載は、特許明細書の段落【００１５】および【００１７】に示されており、上記ａの訂正は、特許明細書及び図面に記載された事項の範囲内において訂正したものである。また、実質上特許請求の範囲を拡張又は変更するものでもない。
　
ロ．上記ｂの訂正について
　上記ｂの訂正では、請求項２に記載されていた
「駆動手段を前記タンクホルダーに固定した」
を
「駆動手段を前記タンクホルダーに固定したと共に、前記タンクと前記タンクホルダーの間の位置決めとしてラジアル方向の一方とスラスト方向を決めるガイドを設けた」
と限定し、同請求項をそれぞれ減縮したものである。
　そして、このｂの訂正に関連する記載は、特許明細書の段落【００３０】に示されており、上記ｂの訂正は、特許明細書及び図面に記載された事項の範囲内において訂正したものである。また、実質上特許請求の範囲を拡張又は変更するものでもない。
　
　
ハ．上記ｃないしｆの訂正について  
　上記ｃないしｆの訂正は、上記ａおよびｂにおける特許請求の範囲の訂正と整合をとるため、発明の詳細な説明の記載を訂正するものであり、明瞭でない記載の釈明に該当する。
　そして、このｃないしｆの訂正は、願書に添付した明細書及び図面に記載された事項の範囲内において訂正したものであり、実質上特許請求の範囲を拡張又は変更するものでもない。
　
　
（３）むすび
　以上のとおりであるから、上記訂正は、特許法第１２０条の４第２項及び同条第３項において準用する同法第１２６条第２項から第３項までの規定に適合するので、当該訂正を認める。
　
　
３．本件発明
　本件の請求項１および２に係る発明（以下、「請求項１および２に係る発明」という。）は、上記訂正明細書の、特許請求の範囲の請求項１および２に記載された事項により特定される次のとおりのものである。
「【請求項１】 冷蔵庫本体に収納され、前記冷蔵庫本体内にて給水を行う冷蔵庫の給水装置において、前記冷蔵庫本体の収納物を冷却する室内に設けられ、給水を貯留する密閉されたタンクと、このタンク内に配設され、前記タンク内の水を吐出する、可動部に磁石を固定したポンプと、前記ポンプの外で前記タンクに隣接して固定され、可動部の磁石と前記ポンプの磁石と、それぞれの磁石を少なくとも前記タンク壁との間の隙間を介して対向させ、非接触にて回転力を前記タンクの外から前記タンクの中へ伝達させ、前記ポンプに駆動力を与える駆動手段と、前記ポンプと接続され、前記タンクに支持され、前記タンクの外へ給水するとともに、前記ポンプの位置を決めて固定する吐出手段であって、吐出口先端はタンク内の最大水位より上方に位置し、この吐出口先端から流出した水が水受け部を通る吐出手段とを備えたことを特徴とする冷蔵庫の給水装置。
　【請求項２】　タンクを収納する給水ホルダーを備え、駆動手段を前記タンクホルダーに固定したと共に、前記タンクと前記タンクホルダーの間の位置決めとしてラジアル方向の一方とスラスト方向を決めるガイドを設けたことを特徴とする請求項１記載の冷蔵庫の給水装置。」
　
　
４．特許異議申し立て理由の概要
　特許異議申立人　株式会社　東芝は、
甲第１号証：実公昭５５−２９４０２号公報
甲第２号証：特開平６−１８１８４５号公報
を引用して、本件請求項１および２に係る発明はこれらの甲第１および２号証に記載された発明に基づいて当業者が容易に発明をすることができたものであるから、特許法第２９条第２項の規定に該当し、特許を受けることができないものである。したがって、これらの発明の特許は特許法第１１３条第１項第２号の規定に該当するので取り消されるべきものである旨を述べている。
　
　
５．当審が通知した取消理由通知の概要
　当審が通知した取消理由通知では、
・刊行物１：実願昭４９−４６２１６号（実開昭５０−１３４７６９号）
　　　　　　のマイクロフイルム
・刊行物２：特開平７−２６０３０３号公報
・刊行物３：特開平６−１８１８４５号公報（上記甲第２号証と同じ。）
を引用し、請求項１および２に係る発明は、刊行物１ないし３に記載された発明に基づいて当業者が容易に発明をすることができたものであるから、特許法第２９条第２項の規定により特許をうけることができないものであり、本件請求項１および２に係る発明の特許は取り消されるべきものである旨が述べられている。
　
　
６．引用刊行物記載の発明
（１）当審が通知した取消理由通知で引用した刊行物１に記載された発明
　上記刊行物１には次のａ．〜ｈ．の記載がなされている。
ａ．刊行物１明細書第３ページ１〜１１行には、
「この考案は前記の諸欠点にかんがみて案出したもので、その目的とするところは、冷水供給装置の構造を簡単にできるとともに、給水タンクの着脱がすこぶる容易になり、しかも庫内に無効容積が形成されることがないようにした冷蔵庫を提供することにある。
　以下この考案の第１実施例を第２図から第５図を参照して説明する。第２図中１は前面を開口した断熱箱体からなる冷蔵庫本体で、この内部は中間仕切壁２によりたとえば上部の冷凍室３と下部の冷蔵室４ に分けられている。」
と記載されている。
　
ｂ．刊行物１明細書第４ページ６〜１１行には、
「一方冷凍室５の上部一側には自動製氷機１４が設置されている。この製氷機１４は、被給水部、つまり、その製氷皿１４ａ内に供給された冷水を凍らせた後、皿内の氷を離氷し、ついで製氷皿１４内に後述の冷水供給装置により給水を行なうという工程を繰返し自動的に行なうものである。」
と記載されている。
　
ｃ．刊行物１明細書第４ページ１４行〜第５ページ２０行には、
「また冷蔵室４の上部には第３図，第４図に詳図するような冷水供給装置１６が設けられている。すなわち冷蔵室４の上部一端には装置基板１７が水平に取着されており、この基板１７の上部空間を収容部８０としている。そして装置基板１７の水平な上面には給水タンク１８が、前方から本平移動することにより着脱自在に載置されている。このタンク１８は合成樹脂等よりなり、その前端面に手掛け部１９，上面に給水口３４を有し、かつ後部一側面寄りにポンプ吸込部２０を有している。このポンプ吸込部２０は、給水タンク１８上壁を貫通してその下端部にインペラ２１を有し、かつ上端部にゴム製の伝達ローラ２２を有した回転自在な回転軸２３と、給水タンク１８内の回転軸２３およびインペラ２１を収納して下端部に吸込口２４を有した吸込管２５と、この吸込管２５の上部と連通し、かつ給水タンク１８の上部後面から後方に突出して先端にテーパ(連結機構)２６ａを形成した流出口部２６とからなる。また２７は中間仕切壁２の後部下面に埋設されたモータであり、このモータ２７はこれの下方（収容部８０)に突出した回転軸にゴム製の回転ローラ２８を設けている。そしてこのモータ２７と吸込部２０とにより、給水ポンプ３５を構成している。さらに回転ローラ２８は 、冷蔵室４の所定位置に配設された給水タンク１８の伝達ローラ２２に係合するように位置している。」
と記載されている。
　
ｄ．刊行物１明細書第５ページ２０行〜第６ページ１６行には、
「また、３０は給水管であり、これはその最下端部に冷蔵室４の背面から収容部８０に突き出した最下端部に流出口部２６に対応するテーパ(連結機構)２９ａを有した流入口部２９を形成してなる。この流入口部２９は、冷蔵室４の所定位置に配設された給水タンク１８の流出口部２６に連結するように位置している。すなわち給水タンク１８を装置基板１７に沿つて押込むと、伝達ローラ２２の周面が回転ローラ２８の周面に当接するとともに、流出口部２６が流入口部２９に連結するようになつている。さらに給水管３０は冷蔵庫本体１の背壁から外部に導出され、上端部を再び冷凍室３内に導入されて製氷皿１４ａに冷水を案内するようになつている。なお３１は第５図に示す空間３１ａの範囲内で中間仕切壁２の下面に設けた制御部またはバターボツクス等である。３２は圧縮機、３３は凝縮器である。」と記載されている。
　
ｅ．刊行物１明細書第７ページ４行〜第８ページ９行には、
「そして第２図に示す状態にあつては離氷後の製氷皿１４ａ内には冷水供給装置１６の動作により給水が行なわれる。すなわち離氷完了に連動してモータ２７が所定時間駆動されるから、回転ローラ２８が回転し、これに伴つて伝達ローラ２２が回転する。すると回転軸２３がインペラ２１を回転させるため、給水タンク１８内の冷水は吸込口２４から吸込管２５内に吸込まれるとともに、流出口部２６から流入口部２９を経て給水管３０を通って製氷皿１４ａに案内される。このような給水が繰り返された後、給水タンク１８に水を補給する必要が生じた場合には、次のようにして給水タンク１８の着脱を行なう。すなわち冷蔵扉６を開放し、給水タンク１８の手掛け部１９に手を掛けて手前に引く。すると給水タンク１８は手前に水平移動し、これによつて第３図に示すように回転ローラ２８と伝達ローラ２２は離間するとともに、流出口部２６は流入口部２９から外れ、給水タンク１８は冷蔵室４から取出される。こうして取出しした給水タンク１８にその給水口３４から水を補給した後、給水タンク１８を再び装置基板１７の上面に載せ、押込んで水平移動させる。すると第４図に示すように伝達ローラ２２が回転ローラ２８に係合するとともに、流出口部２６が流入口部２９に連結して給水タンク１８は所定位置にセツトされる。」
と記載されている。
　
ｆ．刊行物１明細書第８ページ１０〜２０行には、
「このように給水タンク１８はたゞ単に水平方向に移動させるだけのすこぶる容易な操作で着脱できるとともに、給水タンクの上方近傍空間(第５図中３１ａ)に制御部、バターボツクス等を配置できるため庫内の有効利用を図ることができる。さらに、給水ポンプ３５の吸込部２０を給水タンク１８と一体に設け、しかも流出口部２６を直接給水管３０に連結するようにしたから、給水タンクに従来必要とされていた給水弁を必要としないとともに、水受皿、受板等も必要としないから、冷水供給装置の構造を簡単にできる。」
と記載されている。
　
ｇ．刊行物１明細書第１１ページ８〜１６行には、
「したがつて給水タンク内の水を直接的に給水管に取出すことができ、従来必要とされていた水受皿、受板等も必要としないから冷水供給装置の構成を簡単にできるとともに、給水タンクの着脱は単に水平方向に移動させるだけの簡単な操作で行なえ、しかも給水タンクの上方近傍空間が無効容積となることはなく、庫内の有効利用を図ることができるなど、優れた効果を奏する。」
と記載されている。
　
ｈ．刊行物１第２図には、
「中間仕切壁２，給水タンク１８およびモータ２７相互の位置関係」
が示されている。
　
　
（２）当審が通知した取消理由通知で引用した刊行物２に記載された発明
　上記刊行物２には次のａ．〜ｇ．の記載がなされている。
ａ．刊行物２第１欄２６〜２８行には、
「【０００１】
【産業上の利用分野】本発明は、冷蔵庫等に組み込まれる製氷装置に関する。」
と記載されている。　
　
ｂ．刊行物２第２欄１５〜３９行には、
「【０００９】ポンプ７３に渦巻きポンプを用いているので、計量タンク７４の上からポンプ７３のポンプ部８１だけを計量タンク７４の中に挿入しなければならない。また、計量タンク７４への水の補給は、給水タンク７５から水を落とし込むことによって行う構成であるので計量タンク７４は、上面が開放され空気中に露出したものとならざるを得ない。
【００１０】加えて、製氷皿７１への給水は、常時行われることがなく、氷の消費量によっては、相当の期間、製氷皿７１への給水がなされないこともある。
【００１１】従って製氷皿７１への給水がなされない間は、計量タンク７４内の水は、全く置換されないので、この間に冷蔵室内に浮遊する塵等が計量タンク７４の水面に落ち、更に長期間の間に水内の塵等が腐敗する。あるいは長期の間に冷蔵庫内の異臭成分を持つガスが計量タンク７４の表面から水中に溶け込み、作った氷が異臭を放つ場合がある。
【００１２】
【発明が解決しようとする課題】上述のように従来の構成では、計量タンク７４内の水の腐敗や異臭が生じ、作った氷の品質が悪いという問題点を有していた。
【００１３】本発明は、上記従来の問題点を解決するもので、給水経路中の水の腐敗や異臭の発生を防止して、品質の良い氷を作れる製氷装置を提供することを目的とする。」
と記載されている。　
　
ｃ．刊行物２第３欄１３〜２４行には、
「【００１６】
【実施例】以下本発明の一実施例について図面を参照しながら説明する。
【００１７】図１に示すように冷蔵庫内に配置される製氷装置は、下段の冷凍室１内に配設された製氷皿２、反転装置３および貯氷容器４と、上段の冷蔵室５内に配設されたポンプ６、給水タンク７および給水タンク７とポンプ６を結合する配管８、ポンプ６と製氷皿２とを結合する配管９で構成されている。配管８は、隙間無く連続的に気密に接続されており、配管９は、製氷皿２の上面に開口したノズル１０から製氷皿２に注水する構成である。」
と記載されている。
　
ｄ．刊行物２第３欄４０〜４８行には、
「【００２２】図２ないし図４に示すように、給水タンク７は、アクリルニトロスチレン等の樹脂を素材としたタンク本体１６と、同じくアクリルニトロスチレン等の樹脂によって成形された蓋体１７と、収納部１８ａと漏斗状部材１８ｂからなるフィルターケース１８とそれらの付属品で構成されている。
【００２３】上面が開放された容器であるタンク本体１６の開口部１９の周囲には、小さなフランジ２０が形成されている。」
と記載されている。
　
ｅ．刊行物２第４欄２〜２８行には、
「【００２５】蓋体１７はタンク本体１６の開口部１９と合致する形状をした板状の部材であり、周囲にはタンク本体１６の開口端と嵌合する袋状部２２が形設されている。袋状部２２の内部には、パッキング（図示せず）が配設されている。
【００２６】また蓋体１７の側面に形設された４個の突起２３は、２個ずつが一組となって対向する位置に配されていて、突起２３の対向する面には、孔（図示せず）が形設されている。突起２３には、板状のロック部材２４が回転可能に取り付けられていて、側面には突起２３の孔と嵌合する凸部２５が設けられている。またロック部材２４にはそれぞれ２つの係合爪２６が設けられている。タンク本体１６の開口部１９に蓋体１７が被せられるとき、蓋体１７の周囲に設けられた袋状部２２がタンク本体１６の開口端と嵌合する。そしてロック部材２４の係合爪２６がタンク本体１６のフランジ２０の底面と係合するので、蓋体１７は、外れないようにタンク本体１６に取り付けられる。
【００２７】また、蓋体１７には、注水用の孔２７が設けられており、この孔２７にはキャップ２８が装着されている。また蓋体１７には、給水タンク７を引き出す際の把手として使用する凹部２９が形成されている。さらに蓋体１７の中央部に設けられた孔（図示せず）に吐出管３０が取り付けられている。吐出管３０は、長い管状で下方の端部がタンク本体１６の底部まで至っている吸い出し管部３１と空気抜き管部３２が一体的に設けられたものである。」
と記載されている。
　
ｆ．刊行物２第４欄３６〜３８行には、
「【００２９】空気抜き管部３２は、極めて短い管状をしており、タンク本体１６の上面と、外部を連通した構成である。」
と記載されている。
　
ｇ．刊行物２第７欄５０行〜第８欄１５行には、
「【００５７】すなわち従来例の計量タンクのような上部が開放された容器に水を張っておく必要が全くなく、水は必要なときに給水タンク７からくみ出される。加えて製氷皿２への所定量の給水が完了すると、配管８，９内に残った水さえも給水タンク７に回収されてしまう。また給水タンク７は空気抜き管部３２を除いて密閉されているので、内部に塵等が進入する懸念もない。以上のように本実施例によれば、ポンプ６に自吸性を備えるものを採用し、ポンプ６の回転によって給水タンク７から直接的に水が吸い出され、配管８，９を通じて製氷皿２に給水されるので、給水タンク７から製氷皿２に至る間に、水が空気と接する機会は少ない。そのため塵等が落下したり、異臭ガス成分が混入したりして水を汚染することがなく、水を常に清浄な状態に保つことができる効果がある。その結果、本実施例の製氷装置で作られた氷は、品質が良い。」
と記載されている。
　
　
（３）当審が通知した取消理由通知で引用した刊行物３に記載された発明
　上記刊行物３には次のａ．〜ｆ．の記載がなされている。
ａ．刊行物３第１欄１８〜２９行には、
「【０００１】
【産業上の利用分野】本発明は収容液体を加熱・保温し、電動ポンプにより本体外へ導出する電気湯沸器に関する。
【０００２】
【従来の技術】近年、容器内の湯の出湯において、手押しでのエアーポンプによる出湯方式に代わって使い勝手を向上させた電動ポンプ式の電気湯沸器が普及しつつある。
【０００３】一方、調理用やオフィス用など湯の用途の拡大傾向により多量の湯が必要とする場合が増え、電気湯沸器の収容液体の大容量化が進みつつある。」
と記載されている。　
　
ｂ．刊行物３第１欄４０行〜第２欄７行には、
「【０００６】本発明は上記従来の問題点を解決するもので、導出手段により手軽に出液できるとともに、給液操作を手軽にかつ安全にできて、容器の手入れ作業なども容易にできる電気湯沸器を提供することを目的とする。
【０００７】
【課題を解決するための手段】この目的を達成するために本発明の請求項１に記載する電気湯沸器は、内部に液体を収容し本体に着脱可能とした容器部と、容器部内の液体を本体外へ導出する導出水路および導出手段と、その導出手段の動作を制御する操作部を備え、導出水路は本体側に配設した吐出管と中蓋側に配設し吐出管と連通した導出管からなり、導出手段は導出管に連通し容器部の下部に配設したポンプ部とそのポンプ部に対向する位置で本体に配設した駆動部からなり、駆動部の動力を磁力によりポンプ部に伝える構成とし、請求項２記載の発明は、その構成に外蓋の開き状態を検知する開閉検知装置と、その開閉検知装置からの信号により導出手段を制御する制御装置とを備えた構成としたものである。」
と記載されている。　
　
ｃ．刊行物３第２欄１５〜３６行には、
「【００１０】
【実施例】
（実施例１）以下請求項１記載の本発明の実施例について、図面を参照しながら説明する。
【００１１】図１に示すように、内部に液体を収容し本体１に着脱可能とした容器部２の開口部は給水口３を形設した中蓋４で覆われ、その中蓋４は本体１に開閉自在に軸支された外蓋５で覆われている。６は容器部２内の液体を加熱する加熱手段、７は分離されたポンプ部８と駆動部９からなり駆動部９の動力を磁力によりポンプ部８に伝える導出手段（電動ポンプ）、１０は液体を本体１外へ導出する導出管１１と吐出管１２とからなる導出水路、１３は外部操作により導出手段７の動作を制御する操作部である。ポンプ部８は、容器内に開口した吸入口１４と導出管１１に連通した排出口１５と第一のマグネット１６を内蔵し軸支された羽根１７を有する第一の回転体１８とで構成されている。駆動部９は、第二のマグネット１９を内蔵した第二の回転体２０をモータ２１の回転軸に軸支しており、モータ２１の回転動力を第一のマグネット１６と第二のマグネット１９間の磁力により伝達する構成としている。図中の２２は外蓋５の下部に収納でき垂立可能とした容器部２の把手である。」
と記載されている。
　
ｄ．刊行物３第２欄３９〜４６行には、
「【００１３】まず、給液する場合は、外蓋５を開き容器部２の把手２２を引き起こして本体１から取り出し、容器部２単独で中蓋４の給水口３から直接給液し再び本体１に装着して、外蓋５を閉じ加熱手段６に通電して湯沸かし・保温を行う。また、出液時は操作部１３を操作してモータ２１を回転させ容器部２内のポンプ部８を駆動させ容器内の液を導出水路１０を介して外部に出液させる。」
と記載されている。
　
ｅ．刊行物３第２欄４７行〜第３欄６行には、
「【００１４】以上のように本実施例によれば、導出手段７のポンプ部８を容器部２側の中蓋４側に設けたので、手軽に出液操作ができ、使い勝手が良く、また容器に流出口など余分なものがなくシンプルな形状としているので容器自体の手入れが簡単で、しかもポンプ部８は本体１内に内蔵されていないので手軽に手入れができる。
【００１５】（実施例２）以下請求項２記載の本発明の実施例について、図面を参照しながら説明する。前述実施例１と同じ構成部品には同一符号を付して説明は省略する。」
と記載されている。
　
ｆ．刊行物３図１，２には、
「容器部２、中蓋４、ポンプ部８、駆動部９および導出管１１の相互の位置関係」
が示されている。
　
　
（４）特許異議申立人が引用した甲第１号証に記載された発明
　上記甲第１号証には、次のａ，ｂの記載がなされている。
ａ．甲第１号証第１欄２７，２８行には、
「本考案は冷気中に配設した製氷皿を回動させて離氷させるようにした製氷装置に関する。」
と記載されている。
　
ｂ．甲第１号証第３欄２５〜３６行には、
「31は冷蔵室6の側板6bの略中央部に設けられた貯水容器で、これの前端部には注水口31aが後端部にはポンプ挿入口31bが夫々設けられている。32は冷蔵室6の後面板6Cに取付けられた給水ポンプで、これの吸水口部32aは前記貯水容器31のポンプ挿入口31bを介して該貯水容器31内に挿入されている。33はこの給水ポンプ32の吐出口に一端部を連結した給水パイプで、これの他端部を冷凍室5内に導入し且つ製氷皿17に上方から臨ませて前記給水ポンプ32で貯水容器31から吸引された冷水を製氷皿17内に供給するようにしてある。」
と記載されている。
　
　
７．請求項１に係る発明について
（１）対比
イ．請求項１に係る発明を、刊行物１に記載された発明と対比すると、請求項１には、
「冷蔵庫本体の収納物を冷却する室内に設けられ、給水を貯留する密閉されたタンク」
と記載されているが、刊行物１の上記引用箇所６．(１)ｃ．には、“冷蔵室４内に設けられた給水タンク１８”が開示されていると認められるが、この「給水タンク１８」は密閉されているとは開示されていない。
　
ロ．また、請求項１には、
「このタンク内に配設され、前記タンク内の水を吐出する、可動部に磁石を固定したポンプと、」
と記載されており、この「ポンプ」に対しては、刊行物１の上記引用箇所６．(１)ｃ．に記載された、「インペラ２１」,「回転軸２３」,「吸込口２４」および「吸込管２５」が対応していると認められる。
　刊行物１には上記「可動部に磁石を固定した」ことは記載されていないが、これらの「インペラ２１」,「回転軸２３」,「吸込口２４」および「吸込管２５」が給水タンク１８内に配設されていることは同引用箇所６．(１)ｃ．中程の「給水タンク１８内の回転軸２３およびインペラ２１を収納して下端部に吸込口２４を有した吸込管２５と、」という記載より明らかである。
　さらに、上記「タンク内の水を吐出する」に対応して、刊行物１の上記引用箇所６．(１)ｅ．前半には「すると回転軸２３がインペラ２１を回転させるため、給水タンク１８内の冷水は吸込口２４から吸込管２５内に吸込まれるとともに、流出口部２６から流入口部２９を経て給水管３０を通って製氷皿１４ａに案内される。」と、同様な内容が記載されている。
　
ハ．請求項１には、
「前記ポンプの外で前記タンクに隣接して固定され、可動部の磁石と前記ポンプの磁石と、それぞれの磁石を少なくとも前記タンク壁との間の隙間を介して対向させ、非接触にて回転力を前記タンクの外から前記タンクの中へ伝達させ、前記ポンプに駆動力を与える駆動手段と、」
と記載されており、この記載中の「前記ポンプの外で前記タンクに隣接して固定され、」には、刊行物１の上記引用箇所６．(１)ｃ．後半に記載された、「また２７は中間仕切壁２の後部下面に埋設されたモータであり、」が対応しており、しかも第２図によればこの「中間仕切壁２の後部下面」と「給水タンク１８」は隣接している。
　また、この記載中では、「非接触にて回転力を前記タンクの外から前記タンクの中へ伝達させ、前記ポンプに駆動力を与える駆動手段」とされている。これに対し、刊行物１の上記引用箇所６．(１)ｄ．中程に「すなわち給水タンク１８を装置基板１７に沿つて押込むと、伝達ローラ２２の周面が回転ローラ２８の周面に当接するとともに、」と記載されているように、刊行物１に記載された発明では、「ローラ２２，２８の周面同士が当接」しており、「非接触」ではないが、刊行物１の上記引用箇所６．(１)ｅ．中程に「モータ２７が所定時間駆動されるから、回転ローラ２８が回転し、これに伴つて伝達ローラ２２が回転する。すると回転軸２３がインペラ２１を回転させるため、給水タンク１８内の冷水は吸込口２４から吸込管２５内に吸込まれるとともに、」と記載されているように、「モータ２７」の回転力は「インペラ２１」に伝達され、しかも、前述のように「モータ２７」は「給水タンク１８」の外に設置され（「中間仕切壁２の後部下面に埋設され」）ており、「インペラ２１」は「給水タンク１８」の中に設置されている。
　
ニ．請求項１には、
「前記ポンプと接続され、前記タンクに支持され、前記タンクの外へ給水するとともに、前記ポンプの位置を決めて固定する吐出手段と」
と記載されている。
　これに対し、刊行物１の上記引用箇所６．(１)ｃ．中程に「この吸込管２５の上部と連通し、かつ給水タンク１８の上部後面から後方に突出して先端にテーパ(連結機構)２６ａを形成した流出口部２６とからなる。」と記載されているように、刊行物１の「流出口部２６」は「吸込管２５」と接続されており、また、この「流出口部２６」は刊行物１の上記引用箇所６．(１)ｆ．中程に「吸込部２０を給水タンク１８と一体に設け、」と記載されているように、「給水タンク１８」に支持され（一体に設けられ）ている。
　刊行物１の上記引用箇所６．(１)ｅ．中程に「すると回転軸２３がインペラ２１を回転させるため、給水タンク１８内の冷水は吸込口２４から吸込管２５内に吸込まれるとともに、流出口部２６から流入口部２９を経て給水管３０を通って製氷皿１４ａに案内される。」と記載されているように、「流出口部２６」は「給水タンク１８」の外の「製氷皿１４ａ」へ給水する。
　しかし、この「流出口部２６」が、請求項１に記載された「ポンプ」に対応する「インペラ２１」,「回転軸２３」,「吸込口２４」および「吸込管２５」の位置を決めで固定するかどうかは、刊行物１に明記されていない。
　
ホ．請求項１には、
「吐出口先端はタンク内の最大水位より上方に位置し、この吐出口先端から流出した水が水受け部を通る吐出手段とを備えた」
と記載されている。
　これに対し、刊行物１の上記引用箇所６．(１)ｄ．前半に「また、３０は給水管であり、これはその最下端部に冷蔵室４の背面から収容部８０に突き出した最下端部に流出口部２６に対応するテーパ(連結機構)２９ａを有した流入口部２９を形成してなる。この流入口部２９は、冷蔵室４の所定位置に配設された給水タンク１８の流出口部２６に連結するように位置している。すなわち給水タンク１８を装置基板１７に沿つて押込むと、伝達ローラ２２の周面が回転ローラ２８の周面に当接するとともに、流出口部２６が流入口部２９に連結するようになつている。」と記載され、
また、刊行物１の上記引用箇所６．(１)ｅ．には
「そして第２図に示す状態にあつては・・・（中略）・・・すると回転軸２３がインペラ２１を回転させるため、給水タンク１８内の冷水は吸込口２４から吸込管２５内に吸込まれるとともに、流出口部２６から流入口部２９を経て給水管３０を通って製氷皿１４ａに案内される。このような給水が繰り返された後、給水タンク１８に水を補給する必要が生じた場合には、次のようにして給水タンク１８の着脱を行なう。・・・（中略）・・・こうして取出しした給水タンク１８にその給水口３４から水を補給した後、給水タンク１８を再び装置基板１７の上面に載せ、押込んで水平移動させる。すると第４図に示すように伝達ローラ２２が回転ローラ２８に係合するとともに、流出口部２６が流入口部２９に連結して給水タンク１８は所定位置にセツトされる。」
と記載されている。
　このように、刊行物１には「こうして取出しした給水タンク１８にその給水口３４から水を補給した後、」と記載されているが、どのような水位まで水を補給するのかは記載されていない。
　また、刊行物１に記載された発明では「流出口部２６から流入口部２９を経て給水管３０を通って製氷皿１４ａに案内される」が、この「流入口部２９」は、管の一部であり（給水管３０の一部）、請求項１に記載されたような「水受け部」とは異なっている。
　
ヘ．それゆえ、刊行物１に記載された発明の
・冷蔵庫本体１、
・冷蔵室４の上部に設けられた冷水供給装置１６
　　（特に、刊行物１の上記引用箇所３．(１)ｃ．冒頭参照。）、
・冷蔵室４、
・給水タンク１８、
・インペラ２１，回転軸２３，吸込口２４および吸込管２５、
・モータ２７、
・流出口部２６
は、請求項１に係る発明における
・冷蔵庫本体、
・冷蔵庫本体内にて給水を行う冷蔵庫の給水装置、
・収納物を冷却する室、
・給水を貯留するタンク、
・タンク内に配設され、前記タンク内の水を吐出する、ポンプ、
・回転力を前記タンクの外から前記タンクの中へ伝達させ、前記ポンプに
　駆動力を与える駆動手段、
・ポンプと接続され、前記タンクに支持され、前記タンクの外へ給水する
　吐出手段
にそれぞれ相当すると認められる。
　
　
（２）一致点
　したがって、両発明は、
「冷蔵庫本体に収納され、前記冷蔵庫本体内にて給水を行う冷蔵庫の給水装置において、前記冷蔵庫本体の収納物を冷却する室内に設けられ、給水を貯留するタンクと、このタンク内に配設され、前記タンク内の水を吐出する、ポンプと、前記ポンプの外で前記タンクに隣接して固定され、回転力を前記タンクの外から前記タンクの中へ伝達させ、前記ポンプに駆動力を与える駆動手段と、前記ポンプと接続され、前記タンクに支持され、前記タンクの外へ給水する吐出手段とを備えたことを特徴とする冷蔵庫の給水装置。」
で一致し、下記のＡ，ＢおよびＣの３点で相違する。
　
（３）相違点
《相違点Ａ》
　請求項１に係る発明では、タンクが「密閉され」ているが、刊行物１には「給水タンク１８」が密閉されていると記載されていない。両発明は、この点で相違している。（以下、「相違点Ａ」という。）
　
《相違点Ｂ》
　請求項１に係る発明では、ポンプの「可動部に磁石を固定し」、ポンプに駆動力を与える駆動手段を「（同駆動手段の）可動部の磁石と前記ポンプの磁石と、それぞれの磁石を少なくとも前記タンク壁との間の隙間を介して対向させ、非接触にて回転力を伝達させ」るようにし、吐出手段が「前記ポンプの位置を決めて固定する」ようになっているが、刊行物１に記載された発明では、そのようにはなっていない。
　両発明は、この点で相違している。（以下、「相違点Ｂ」という。）
　
《相違点Ｃ》
　請求項１に係る発明では、「吐出口先端はタンク内の最大水位より上方に位置し、この吐出口先端から流出した水が水受け部を通る」とされているが、刊行物１には、このような「最大水位」や「水受け部」が記載されていない。両発明は、この点で相違している。（以下、「相違点Ｃ」という。）
　
（４）判断
《相違点Ａについての検討》
　この相違点Ａについて検討する。タンクを「密閉され」ているものとすることは刊行物２に記載されている。（特に、刊行物２の上記引用箇所６．(２)ｇ．中程の「また給水タンク７は空気抜き管部３２を除いて密閉されているので、内部に塵等が進入する懸念もない。」参照。）そして、この記載を刊行物１に記載された発明に組み合わせることは容易である。
　
《相違点Ｂについての検討》
イ．相違点Ｂにおける請求項１の記載事項は、
・（ポンプの）可動部に磁石を固定し、
・（ポンプに駆動力を与える駆動手段の）可動部の磁石と前記ポンプ
　の磁石と、それぞれの磁石を少なくとも前記タンク壁との間の隙間
　を介して対向させ、非接触にて回転力を伝達させ、
・（吐出手段が）前記ポンプの位置を決めて固定する、
である。
　
ロ．この３つの記載事項のうち前２つに対しては、刊行物３の上記引用箇所６．(３)ｃ．中程に、
「ポンプ部８は、容器内に開口した吸入口１４と導出管１１に連通した排出口１５と第一のマグネット１６を内蔵し軸支された羽根１７を有する第一の回転体１８とで構成されている。駆動部９は、第二のマグネット１９を内蔵した第二の回転体２０をモータ２１の回転軸に軸支しており、モータ２１の回転動力を第一のマグネット１６と第二のマグネット１９間の磁力により伝達する構成としている。」
と開示されている。
　上記、前２つの記載事項のうちの「（ポンプの）可動部に磁石を固定し」および「（駆動手段の）可動部の磁石」は、この開示中の「（ポンプ部８の第一の回転体１８に内蔵された）第一のマグネット１６」および「（駆動部９の第二の回転体２０に内蔵された）第二のマグネット１９」にそれぞれ相当する。
　２番目の記載事項の残りの「それぞれの磁石を少なくとも前記タンク壁との間の隙間を介して対向させ、非接触にて回転力を伝達させ」に対して、刊行物３の上記の開示では「モータ２１の回転動力を第一のマグネット１６と第二のマグネット１９間の磁力により伝達する」とされており、またこの開示が参照しつつなされている図１によれば「第一のマグネット１６」と「第二のマグネット１９」の間には「容器部２」の壁が記載されており、２つの「マグネット１６，１９」の間には少なくともこの壁の厚さの隙間が存在しており、両マグネットはこの隙間を介して対向しており、非接触であるのは明らかである。
　このように、相違点Ｂにおける請求項１の３つの記載事項のうち前２つと同様な内容は刊行物３に示されている。
　
ハ．３番目の記載事項に対しては、刊行物３の上記引用箇所６．(３)ｅ．前半には、
「ポンプ部８を容器部２側の中蓋４側に設けたので、」
と開示されており、またこの開示が参照しつつなされた図１によれば、この開示は、“ポンプ部８を容器部２側の中蓋４側に
導出管１１を介して
　しかも、同引用箇所６．(３)ｅ．では、この開示の後に、
「また容器に流出口など余分なものがなくシンプルな形状としているので容器自体の手入れが簡単で、」
と開示されており、このように容器手入れ時に容器に余分なものがないのであれば、ポンプ部８が容器部２に固定されているはずはない。
　したがって、刊行物３に記載された発明でも、
“導出管１１がポンプ部８の位置を決めて固定する”
のは明らかである。
　
ニ．以上のように、相違点Ｂにおける請求項１の３つの記載事項はすべて刊行物３に開示されている。次に、これらの刊行物３の開示を刊行物１に記載された発明の冷水供給装置に組み合わせることが容易かどうかを検討する。
　
ホ．刊行物３の上記引用箇所６．(３)ｂ．前半には、
「【０００６】本発明は上記従来の問題点を解決するもので、導出手段により手軽に出液できるとともに、給液操作を手軽にかつ安全にできて、容器の手入れ作業なども容易にできる電気湯沸器を提供することを目的とする。
【０００７】
【課題を解決するための手段】この目的を達成するために本発明の請求項１に記載する電気湯沸器は、内部に液体を収容し本体に着脱可能とした容器部と、容器部内の液体を本体外へ導出する導出水路および導出手段と、その導出手段の動作を制御する操作部を備え、」
と記載されており、
“本発明の請求項１に記載する電気湯沸器は、容器部と、導出水路および導出手段と、操作部を備え、導出手段により出液でき、給液操作を手軽にかつ安全にできて、容器の手入れ作業なども容易にできる”旨が開示されており、この電気湯沸器が備える容器部、導出手段および導出水路が給液装置を形成しているのは明らかであり、しかも、この給液装置が主に給湯装置あるいは給水装置を意味していることは、この引用箇所中の「導出水路」あるいは刊行物３の上記引用箇所６．(３)ａ．中の「出湯方式」あるいは「大量の湯が」という記載より明らかである。
　そうすると、刊行物１に記載された発明の冷水供給装置と、刊行物３に記載された発明の“容器部、導出水路および導出手段からなる装置”には、水，温水あるいは冷水等の液体を供給する装置という機能上の共通性がある。
　
ヘ．しかも刊行物３の上記引用箇所６．(３)ｂ．前半の【０００６】段落に記載された「容器の手入れ作業なども容易にできる」という発明の課題が記載されているが、本件明細書【００３８】段落の末にも「ユーザーがポンプを含めた給水経路のほとんどが取り扱い簡単で、任意に洗浄でき、」と同様な課題が記載されている。また、刊行物１には、この「容器の手入れ作業なども容易にできる」という課題は記載されていないものの、このような課題は給水，給湯装置の分野では一般的な課題、つまり、装置の構成を考えると自明な課題にすぎない。
　
ト．このように刊行物１および３に記載された発明には、機能の共通性および課題の共通性があり、刊行物１に記載された発明の冷水供給装置に、このような課題を解決するため刊行物３の記載事項を採用することは容易に想到できたと認める。
　
《相違点Ｃについての検討》
　相違点Ｃに関して、本件の請求項１には、「吐出口先端はタンク内の最大水位より上方に位置し、この吐出口先端から流出した水が水受け部を通る」と記載されている。
　刊行物３の上記引用箇所６．(３)ｄ．前半には、
「【００１３】まず、給液する場合は、外蓋５を開き容器部２の把手２２を引き起こして本体１から取り出し、容器部２単独で中蓋４の給水口３から直接給液し再び本体１に装着して、外蓋５を閉じ加熱手段６に通電して湯沸かし・保温を行う。」
と記載されている。このように、刊行物３には「容器部２」へ「給水口３から直接給液し」と記載されてはいるものの、容器部２内の最大液位については記載されていない。また、本件請求項１の「水受け部」に相当するものも記載されていない。
　特許異議申立人の引用した甲第１号証にも、本件請求項１の「吐出口先端はタンク内の最大水位より上方に位置し、この吐出口先端から流出した水が水受け部を通る」に相当するものは記載されていない。
　しかも、本件請求項１のこの事項により、本件明細書【００３１】段落記載の、
「吐出口先端と給水タンク内の最大水位の関係が吐出口の方が上で、水受け部上部の淵に対しては吐出口先端のが下であるので、給水ポンプ停止時に吐出口先端で水が切れ、かつ水受け部から水があふれでることはない。」
という機能が生まれ、さらに、本件明細書【００３８】段落記載の
「ユーザーがポンプを含めた給水経路のほとんどが取り扱い簡単で」あるという発明の効果を達成することができると認められる。
　そうすると、この相違点Ｃは、刊行物２および３の記載、あるいは甲第１号証の記載から当業者が容易に想到できたものであるということはできない。
　
（５）まとめ
　このように、上記相違点ＡおよびＢは当業者が容易に想到できた程度のものであるが、上記相違点Ｃは当審が通知した取消理由通知で引用した刊行物２および３に記載された発明、あるいは特許異議申立人の引用した甲第１号証に記載された発明に基づいて当業者が容易に想到できたものではない。
　したがって、請求項１に係る発明は、当審が引用した刊行物１ないし３に記載された発明、あるいは特許異議申立人の引用した甲第１号証に記載された発明に基づいて当業者が容易に発明をすることができたものではない。
　
　
８．請求項２に係る発明について
（１）一致点および相違点
《相違点Ｄ》
　請求項２に係る発明を、刊行物１に記載された発明と対比すると、請求項２には「タンクを収納する給水ホルダーを備え、駆動手段を前記タンクホルダーに固定した」と記載されている。刊行物１にはこのように「駆動手段をタンクホルダーに固定した」ことは記載されていない。この点で両発明は相違している。（以下、「相違点Ｄ」という。）
　
《相違点Ｅ》
　また、請求項２には「前記タンクと前記タンクホルダーの間の位置決めとしてラジアル方向の一方とスラスト方向を決めるガイドを設けた」と記載されている。刊行物１にはこのようなガイドを設けたことは記載されていない。この点で両発明は相違している。（以下、「相違点Ｅ」という。）
　請求項２は請求項１を引用して記載されているので、上記の「７．請求項１に係る発明について」の項に記載した「相違点Ａ」ないし「相違点Ｃ」でも両発明は相違している。しかし、その余の点では一致している。
　
（２）判断
《相違点Ｄについての検討》
　この相違点Ｄについて検討すると、当該技術分野において、「タンクを収納する給水ホルダー」は周知の技術にすぎない。
（もし、周知文献が必要であれば、
・特開平６−９４３３９号公報（ケース２１参照）
・特開平４−２６０７７０号公報（容器本体３５参照）
・特開平４−１０３９７９号公報（ケース９参照）
・実願昭４９−５８００７号（実開昭５０−１４６１６９号）
　のマイクロフイルム（取付基体５参照）
等を参照。）
　また、刊行物３図１，２によれば、容器部２と駆動部９とはきわめて接近した位置関係に設置されるので、容器部２と駆動部９とを同一の支持部材に支持させるのは自然なことである。
　そうとすれば、刊行物１に記載された発明において、給水タンク１８が、その上面に載置される装置基板１７に換えて、本件出願当時周知の「タンクを収納する給水ホルダー」を用い、このホルダーに、刊行物３に記載された「駆動部９」を固定することは容易であると言わざるを得ない。
　したがって、相違点Ｄに関する請求項２の記載事項である「タンクを収納する給水ホルダーを備え、駆動手段を前記タンクホルダーに固定した」とすることは容易である。
　
《相違点Ｅについての検討》
　上記相違点Ｅについて検討すると、本件請求項２の「前記タンクと前記タンクホルダーの間の位置決めとしてラジアル方向の一方とスラスト方向を決めるガイドを設けた」は、当審が引用した刊行物２および３あるいは特許異議申立人の引用した甲第１号証にも記載されていない。
　しかも、本件請求項２の、この事項により、本件明細書【００３９】段落記載の、
「また、ポンプと駆動手段の位置精度が得られ信頼性の高い装置が得られる。」
という発明の効果を達成することができると認められる。
　そうすると、この相違点Ｅは、刊行物２および３の記載、あるいは甲第１号証の記載から当業者が容易に想到できたものであるということはできない。
　
　
（５）まとめ
　このように、上記相違点Ａ，ＢおよびＤは当業者が容易に想到できた程度のものであるが、上記相違点ＣおよびＥは当審が通知した取消理由通知で引用した刊行物２および３に記載された発明、あるいは特許異議申立人の引用した甲第１号証に記載された発明に基づいて当業者が容易に想到できたものではない。
　したがって、請求項２に係る発明は、当審が引用した刊行物１ないし３に記載された発明、あるいは特許異議申立人の引用した甲１号証に記載された発明に基づいて当業者が容易に発明をすることができたものではない。
　
　
９．むすび
　以上のとおりであるから、特許異議申立ての理由及び証拠によっては、請求項１および２に係る発明の特許を取り消すことはできない。
　また、他に請求項１および２に係る発明の特許を取り消すべき理由を発見しない。
　よって、結論のとおり決定する。
【異議決定日】
平成１４年３月１１日（２００２．３．１１）
【訂正の要旨】
　訂正の要旨
　特許権者が求めている訂正の要旨は、訂正請求書に添付された全文訂正明細書に記載された、以下のａ〜ｆである。
ａ．請求項１に記載された
「【請求項１】　冷蔵庫本体に収納され、前記冷蔵庫本体内にて給水を行う冷蔵庫の給水装置において、前記冷蔵庫本体の収納物を冷却する室内に設けられ、給水を貯留する密閉されたタンクと、このタンク内に配設され、前記タンク内の水を吐出する、可動部に磁石を固定したポンプと、前記ポンプの外で前記タンクに隣接して固定され、可動部の磁石と前記ポンプの磁石と、それぞれの磁石を少なくとも前記タンク壁との間の隙間を介して対向させ、非接触にて回転力を前記タンクの外から前記タンクの中へ伝達させ、前記ポンプに駆動力を与える駆動手段と、前記ポンプと接続され、前記タンクに支持され、前記タンクの外へ給水するとともに、前記ポンプの位置を決めて固定する吐出手段とを備えたことを特徴とする冷蔵庫の給水装置。」
を
「【請求項１】　冷蔵庫本体に収納され、前記冷蔵庫本体内にて給水を行う冷蔵庫の給水装置において、前記冷蔵庫本体の収納物を冷却する室内に設けられ、給水を貯留する密閉されたタンクと、このタンク内に配設され、前記タンク内の水を吐出する、可動部に磁石を固定したポンプと、前記ポンプの外で前記タンクに隣接して固定され、可動部の磁石と前記ポンプの磁石と、それぞれの磁石を少なくとも前記タンク壁との間の隙間を介して対向させ、非接触にて回転力を前記タンクの外から前記タンクの中へ伝達させ、前記ポンプに駆動力を与える駆動手段と、前記ポンプと接続され、前記タンクに支持され、前記タンクの外へ給水するとともに、前記ポンプの位置を決めて固定する吐出手段であって、吐出口先端はタンク内の最大水位より上方に位置し、この吐出口先端から流出した水が水受け部を通る吐出手段とを備えたことを特徴とする冷蔵庫の給水装置。」
に訂正する。
ｂ．請求項２に記載された
「【請求項２】　タンクを収納するタンクホルダーを備え、駆動手段を前記タンクホルダーに固定したことを特徴とする請求項１記載の冷蔵庫の給水装置。」
を
「【請求項２】　タンクを収納する給水ホルダーを備え、駆動手段を前記タンクホルダーに固定したと共に、前記タンクと前記タンクホルダーの間の位置決めとしてラジアル方向の一方とスラスト方向を決めるガイドを設けたことを特徴とする請求項１記載の冷蔵庫の給水装置。」
に訂正する。
ｃ．明細書の段落【００１１】の
「前記ポンプの位置を決めて固定する吐出手段とを備えたものである。」
を
「前記ポンプの位置を決めて固定する吐出手段であって、吐出口先端はタンク内の最大水位より上方に位置し、この吐出口先端から流出した水が水受け部を通る吐出手段とを備えたものである。」
に訂正する。
　ｄ．明細書の段落【００１２】の
「また、タンクを収納するタンクホルダーを備え、駆動手段を前記タンクホルダーに固定したものである。」
を
「また、タンクを収納するタンクホルダーを備え、駆動手段を前記タンクホルダーに固定したと共に、前記タンクと前記タンクホルダーの間の位置決めとしてラジアル方向の一方とスラスト方向を決めるガイドを設けたものである。」
に訂正する。
ｅ．明細書の段落【００３８】の
「ポンプの位置を決めて固定する吐出手段とを備えたので、」
を
「ポンプの位置を決めて固定する吐出手段であって、吐出口先端はタンク内の最大水位より上方に位置し、この吐出口先端から流出した水が水受け部を通る吐出手段とを備えているので、」
に訂正する。
ｆ．明細書の段落【００３９】の
「また、タンクを収納するタンクホルダーを備え、駆動手段を前記タンクホルダーに固定したので、」
を
「また、タンクを収納するタンクホルダーを備え、駆動手段を前記タンクホルダーに固定したと共に、前記タンクと前記タンクホルダーの間の位置決めとしてラジアル方向の一方とスラスト方向を決めるガイドを設けたので、」
に訂正する。
（５４）【発明の名称】
冷蔵庫の給水装置
（５７）【特許請求の範囲】
　【請求項１】　冷蔵庫本体に収納され、前記冷蔵庫本体内にて給水を行う冷蔵庫の給水装置において、前記冷蔵庫本体の収納物を冷却する室内に設けられ、給水を貯留する密閉されたタンクと、このタンク内に配設され、前記タンク内の水を吐出する、可動部に磁石を固定したポンプと、前記ポンプの外で前記タンクに隣接して固定され、可動部の磁石と前記ポンプの磁石と、それぞれの磁石を少なくとも前記タンク壁との間の隙間を介して対向させ、非接触にて回転力を前記タンクの外から前記タンクの中へ伝達させ、前記ポンプに駆動力を与える駆動手段と、前記ポンプと接続され、前記タンクに支持され、前記タンクの外へ給水するとともに、前記ポンプの位置を決めて固定する吐出手段
であって、吐出口先端はタンク内の最大水位より上方に位置し、この吐出口先端から流出した水が水受け部を通る吐出手段
　【請求項２】　タンクを収納する給水ホルダーを備え、駆動手段を前記タンクホルダーに固定した
と共に、前記タンクと前記タンクホルダーの間の位置決めとしてラジアル方向の一方とスラスト方向を決めるガイドを設けた
【発明の詳細な説明】
　【０００１】
　【発明の属する技術分野】
　本発明は、冷蔵庫に関するもので、特に製氷皿へ水を供給して製氷する自動製氷装置の如く給水タンクを有するものに関するものである。
　【０００２】
　【従来の技術】
　従来の自動製氷装置を有する冷蔵庫として、例えば特開平６−３００４０２号公報に記載されたものがある。図１３は従来の自動製氷装置を有する冷凍冷蔵庫の外観図であり、図１４は従来の自動製氷装置を示した概略図、図１５は従来の自動製氷装置の要部詳細断面図である。図１３において冷凍冷蔵庫１は冷蔵室２とこの冷蔵室２の下に配設された冷凍室３とを備えている。そして、冷蔵室２の下部には給水タンクコーナー４が設けられ冷凍室３の上部には製氷コーナー５が設けられており、これら給水タンクコーナー４と製氷コーナー５とに自動製氷装置が装備されている。
　【０００３】
　図１４に示すように、給水タンク１４０は給水タンクコーナー４内に取り付けられており、給水タンク１４０の下側には手が入る程の大径の取付口１４１が設けられている。そして、この取付口１４１に定量室１４２が装着されている。定量室１４２は図１５に示すように、取付口１４１に螺合され中心部に流出口１４３を有するキャップ１４４と、上部に流入口１４６を有する中ケース１４５と、活性炭１４８を有する上ケース１４７とで構成されている。キャップ１４４の流出口１４３には、流出口１４３と流入口１４６を開閉するための連動弁１４９が装着されている。連動弁１４９は、流出口１４３を塞ぐ流出弁１５０と、流入口１４６を塞ぐ流入弁１５１とを有し、バネ１５２によって図の下方に付勢されている。すなわち、連動弁１４９に下方から力が加わらない場合には、バネ１５２によって、連動弁１４９が下げられるので、流入口１４６が開き、流出口１４３が閉じた状態になる。
　【０００４】
　また、中ケース１４５は、キャップ１４４にネジ止めまたは嵌め合い等で固定されており、その上部にはエア抜き１４５ａが設けられている。そして、この中ケース１４５上に上ケース１４７がネジ止めまたは嵌め合い等で取り付けられ、活性炭１４８を介して、給水タンク１４０内の水を定量室１４２内に流入させるようになっている。
　【０００５】
　定量室１４２が装着された取付口１４１の下側に、受け皿１５４が配設され、この受け皿１５４に設けられ下降傾斜した給水路１５３に、駆動装置としての駆動機構１５５が装着されている。駆動機構１５５は、内部の電磁ソレノイドの電磁作用によって作動軸１５６を上下させ、作動軸１５６の先端に取り付けられたカサ１５７によって、定量室１４２の連動弁１４９を上方に押すようになっている。カサ１５７は、流出口１４３からの水が給水路１５３の取付孔１５３ａ内に侵入しないようにするためのもので、シリコン系の材質で形成されている。これにより、駆動機構１５５を作動させて、作動軸１５６を上昇させると、連動弁１４９が上方に押されて、流出口１４３が開くと共に流入口１４６が流入弁１５１によって閉じこめられることになる。
　【０００６】
　駆動機構１５５が装着された受け皿１５４には、図１４に示すように、給水ポンプ１５８が設置され、この給水ポンプ１５８の上端に押出ホース１５９が取り付けられている。押出ホース１５９は、冷凍室３の製氷コーナー１０５まで延出しており、その先端が製氷コーナー１０５内の製氷皿１２７の上に至っている。なお、給水ポンプ１５８は、渦巻き式ではなく、自給式のポンプである。自給式のポンプは、ポンプモータ回転数と吐出流量が比例するので、ポンプモータの駆動時間により製氷皿への水の供給量を制御することができる。
　【０００７】
　次に動作について説明する。駆動機構１５５を作動させない状態では、定量室１４２の連動弁１４９にバネ１５２の下方付勢力のみが働くので、流出口１４３が流出弁１５０によって閉じられ、流入口１４６が開放された状態にある。したがって、この状態では、給水タンク１４０内の水が、活性炭１４８を通って上ケース１４７内に入り、流入口１４６を通って中ケース１４５内に入り込み、定量室１４２は満水となる。この中ケース１４５内への水の流入は、エア抜き１４５ａの作用によってスムーズに行われる。
　【０００８】
　次に、駆動機構１５５を作動させると、作動軸１５６が上昇し、カサ１５７が連動弁１４９の下端をバネ１５２の付勢力に抗して押上げる。この結果、流出口１４３が開き、流入口１４６が流入弁１５１によって塞がれるので、中ケース１４５内の水が流出口１４３から受け皿１５４に流出する。この受け皿１５４上の水は、給水ポンプ１５８の作用によって、押出ホース１５９から製氷皿１２７内に供給される。このとき、流入口１４６が塞がれているので、受け皿１５４に流出する水量はほぼ中ケース１４５の容積に等しい。このため、中ケース１４５の容積に対応した定量の水が製氷皿１２７に供給されることになる。なお、流出口１４３には、エア抜き用の孔がないので、水の流出時間は一定ではなく、受け皿１５４内の水量の変位は一定ではないが、自給式の給水ポンプ１５８によって直ちに吸入するので、受け皿１５４に水は残らない。すなわち、水の流出時間にバラツキがあっても、水は受け皿１５４に留まることなく、製氷皿１２７に定量給水される。
　【０００９】
　【発明が解決しようとする課題】
　従来の冷蔵庫は以上のように、冷蔵室２内または冷凍室３内に突出して給水タンクコーナー４または製氷コーナー５が設けられているので、本来食品を貯蔵するスペースを減少させてしまうという問題があった。また、給水タンクコーナー４として別部品のケースが必要であり、コストアップを招いていた。また、自動製氷装置、特に給水タンクまわりの構造が複雑で、ユーザーがさわりにくく、例えば、ユーザーが中ケース１４５をキャップ１４４に固定する際に緩みがあると、流入口１４６または流出口１４３が確実に閉じず、製氷室１２７に定量の水が供給できなくなるという問題があった。更に、タンク内をユーザーが外して洗浄できず、また、押出ホース１５９内に水が残り、水の腐敗によってホース内が汚れる恐れがある等、給水タンク内部から流出口に至る多くの機器の汚れや清掃の問題があった。
　また、給水タンクと自給式ポンプの接続は必ず必要で接続部のシールの信頼性維持、異物侵入の防止など、品質面、コスト面で抱える問題が少なくなかった。
　【００１０】
　この発明は上記のような問題点を解消するためになされたもので、冷蔵庫の自動製氷装置等の搭載による食品貯蔵スペースの減少を大幅に抑えることができると共に、安価でかつユーザーが簡単に給水タンクまわりを取り扱うことができ、かつ誤取り扱いが発生しても致命的な故障にはつながらずに均一な給水量を確保することができる給水タンクが得られる。さらに、簡単な構造で汚れを解消できる給水タンクを有する冷蔵庫を提供することを目的とする。
　【００１１】
　【課題を解決するための手段】
　この発明に係る冷蔵庫の給水装置は、冷蔵庫本体に収納され、前記冷蔵庫本体内にて給水を行う冷蔵庫の給水装置において、前記冷蔵庫本体の収納物を冷却する室内に設けられ、給水を貯留する密閉されたタンクと、このタンク内に配設され、前記タンク内の水を吐出する、可動部に磁石を固定したポンプと、前記ポンプの外で前記タンクに隣接して固定され、可動部の磁石と前記ポンプの磁石と、それぞれの磁石を少なくとも前記タンク壁との間の隙間を介して対向させ、非接触にて回転力を前記タンクの外から前記タンクの中へ伝達させ、前記ポンプに駆動力を与える駆動手段と、前記ポンプと接続され、前記タンクに支持され、前記タンクの外へ給水するとともに、前記ポンプの位置を決めて固定する吐出手段
であって、吐出口先端はタンク内の最大水位より上方に位置し、この吐出口先端から流出した水が水受け部を通る吐出手段
　【００１２】
　また、タンクを収納する給水ホルダーを備え、駆動手段を前記タンクホルダーに固定した
と共に、前記タンクと前記タンクホルダーの間の位置決めとしてダジアル方向の一方とスラスト方向を決めるガイドを設けた
　【００１３】
　【００１４】
　【発明の実施の形態】
発明の実施の形態１．
　以下、本発明の実施の形態の一例について図面を参照して説明する。図１は、本発明の第一の実施の形態に係る自動製氷装置を有する冷蔵庫の横断面図であり、図２は本発明の実施の形態の自動製氷装置を示す横断面図である。図１において、冷凍冷蔵庫１は冷蔵室２とこの冷蔵室２の下に配設された冷凍室３とを備えている。そして、冷蔵室２と冷凍室３とを区画する仕切壁を折り曲げて形成した凹部に給水タンクコーナー４が配設され、それによって生じた冷凍室３の凸部の後方に製氷コーナー５が配設されている。
　【００１５】
　図２は本発明の実施の形態に係る自動製氷装置を示す横断面図であり、図３は図２の要部拡大図である。図２において、冷蔵室２と冷凍室３とを区割する仕切壁６に設けられている給水タンクコーナー４に給水ポンプ４０と給水ポンプ４０とつながっている吐出口４７がセットされた給水タンク１０がセットされていて、給水タンクコーナー４に一体で設けられた水受け部４８に吐出口４７が差し込まれている。
　なお、給水タンク１０には着脱可能にふた１２が設けられており、ふた１２を閉めることによりこの給水タンクは密閉される。さらにこのふた１２には吐出口４７がセットされ給水ポンプ４０の位置が決められて固定されている。
　水受け部４８には一体で設けられた流出口４９が冷蔵室２と冷凍室３を貫通する形で設けられており、流出口４９の先には製氷皿２７が位置している。
　また、吐出口４７の先端は給水タンク１０内の最大水位よりも上方に位置し水受け部４８の上方の淵は吐出口４７の先端よりも上方に位置している。
　【００１６】
　次に図３を用いて給水ポンプ４０周辺を説明する。給水ポンプ４０の中にはマグネット４２と着磁板４３およびＳＵＳ３０３製の軸５７とＳＵＳ３０４製のボール５６を有したインペラ４１が給水ポンプ４０と一体で成形された軸受５２に軸５７が差し込まれる形で固定されている。給水ポンプ４０には、軸受側に吸込口８１があり、その先端にはメッシュフィルター１１１が取り付けられている。給水ポンプ４０には、給水ポンプ４０の円周方向に吐出口４７がある。給水ポンプ４０の軸受側と反対側にはボール５６がインペラ４１側に固定され、給水ポンプ４０のケーシングと接している。
　なお、ポンプ４０を駆動するモータ４６は図２の如く給水タンクコーナー４の中に収納され、仕切壁６に外側がネジ等で固定されたり、図３の如く仕切壁内に収納され仕切壁６に内側からネジ等で固定されている。
　【００１７】
　次に動作について図４，５および図６を用いて説明する。図４は給水ポンプ４０の動作状態を示す。図５はモータ４６の動作を制御する制御基板５０を示す概略図、図６はそのタイムチャート図である。
　図５において、５０は制御基板であり、モータ４６、電源５１が接続されており、冷凍冷蔵庫１内に設けられている。検知装置が貯氷箱に溜まる氷の量を検知し、氷の量が不足していることを検知すると、制御基板５０から給水開始信号が出力される。制御基板５０から給水開始信号が出力されると、モータ４６がＯＦＦから一定時間ＯＮになる。モータ４６がＯＮになるとモータ４６に接続された着磁板４５と着磁板４５に接着されたマグネット４４が回転する。マグネット４４と給水ポンプ４０側のマグネット４２は磁界を形成しており、磁力によってお互いに引き合っているため、マグネット４４とマグネット４２は同回転数で回転し、マグネット４２が取り付いているインペラ４１も同様に回転する。図に示すような方向にインペラ４１が回転すると吐出口４７から水が流出すると共に給水口８１から給水タンク１０内の水を吸い込むが、給水タンク１０内の０．４×０．４ｍｍ以上の物体はメッシュフィルター１１１によってメッシュフィルター表面にホールドされる。これによりポンプの可動部と固定部との隙間に異物がつまらない。
　一方吐出口４７から流出した水は、水受け部４８、流出口４９を通って製氷皿２７へ供給される。
　【００１８】
　マグネット４２，４４は図４（Ｃ）の如く平板状に２極以上で構成されており、必要な磁力が得られる材質、フェライト系や希土類系等が選択して選ばれる。
　給水タンク１０は凹部に形成した給水タンクコーナー４に挿入されるが、例えば数ｍｍ程度の隙間を持って挿入しやすい構成となっている。一方給水タンク４０がタンク１０に差し込まれた状態では給水タンクのフタの吐出口差し込み位置によりタンク内の位置が決められるが、磁力により吸引され、ポンプのケーシングがタンク壁に接触してもポンプの回転には影響を与えない構造となっている。
　【００１９】
　すなわち、インペラ４１とケーシングとの間にはボール５６が存在し、しかもポンプが回転するとポンプ負圧によりインペラは軸受５２側へ引かれるため回転体すなわちボール５６と固定部分であるケーシングとの摩耗を抑える構成となっている。タンクはプラスチックや非磁性体、例えばステンレス、ガラス等で２ｍｍ程度の厚みがある。
　また、モータ４６側の磁石４４とタンク間は充分な隙間を設け、直接接触をさけ、かつ仕切壁を介してもよい隙間としている。このようながたを含めた全隙間、約１０ｍｍ位を介してフェライト磁石４２，４４を対向させることで、モータの駆動力をポンプに伝えられると共に、一方ユーザーがタンクを凹部から着脱したり、あるいはタンク内からポンプおよび吐出口を着脱する際、磁力に妨げられずに簡単に行えるようにしている。
　また、ポンプをセットしたことは磁気力で吸引されるので、わかるという効果もある。
　【００２０】
　また、給水タンクまわりの清掃は吐出口を含めたタンクを凹部から外へ取り出して簡単に行える。
　なお、フィルタ１１１はポンプへ圧入してあり、これを引き抜いて清掃することができる。
　また、ポンプは吐出口と一体のまま出入口を介して洗浄することができる。
　【００２１】
　以上のように、本例の自動製氷装置によれば、給水ポンプ４０は給水タンク１０の中に設置されているため、給水ポンプ４０はユーザーが簡単に扱えて任意に洗浄することができる。また、吐出口４７と水受け部４８、流出口４９、製氷皿２７は図２のように位置しているので、水受け部４８と吐出口４７の間にはシール等が要らない。
　そして、図３，４のようにモータ４６と給水ポンプ４０は非接触なので非常に静かなシステムを構成でき、メッシュフィルター１１１が吸込口８１に取り付けられているので、氷への異物混入を防ぐと共にインペラ４１がロックするような異物の流入を抑えることができる。
　【００２２】
　なお、上記の例では仕切壁６に設けられた給水タンクコーナー４に給水タンク１０がセットされているが、外付けの給水タンクコーナー４でもよいような構成が可能である。
　【００２３】
　この発明に係る冷蔵庫においては、着脱可能な給水タンクの中に着脱可能なポンプを配置し、そのポンプを駆動するためのトルクをポンプとは非接触で給水タンクの外部に配置したものであるので、ユーザーが給水ポンプを含めた給水経路のほとんどが取り扱い簡単で、任意に洗浄でき、かつ電気的、構造的にはモータと何ら接続がないため、安全、静音化が図れる。
　【００２４】
　また、この発明に係る冷蔵庫においては、遠心式ポンプのインペラに磁石を設けて、この磁石を給水ポンプのケーシング給水タンクの壁体を介してモータにより駆動される磁石と対向させてモータの回転トルクを磁力でインペラに動力伝達させたので、手入れの不要なモータ部を冷蔵庫に固定し、清掃の必要な給水ポンプをやはり清掃の必要なタンクと一体にしているので、ユーザーの取り扱いが簡単になる。
　【００２５】
発明の実施の形態２．
　本例は上記実施の形態１の構成に対し、給水タンクコーナー４の取付方法を変更したものである。
　前例１において、モータ４６は給水タンクコーナー４の仕切壁に設置されていて、給水タンクコーナー４と仕切壁６は一体であった。このままだと、冷凍冷蔵庫１と比較して一般的に寿命の短いモータ４６が交換できない場合も考えられる。そこで、給水タンクコーナー４を仕切壁６と別体としたタンクホルダー６０を設け、タンクホルダー６０の裏側に図７の如くモータケース６２に固定されたモータ４６をネジ６３にて取り付ける。そして、そのタンクホルダー６０を仕切壁６０に全周にシール６１を配した形で取り付ける。タンクホルダー６０と仕切壁６との固定は再現性のあるネジ、爪、リベット等々のもので行うこととする。シール６１は水密性を有したものである。
　【００２６】
　これにより凹部は、仕切壁６より若干高いタンクホルダー６０のフランジ部により庫内から異物や水が入りにくくなる。また、タンクホルダー６０を底面にいくほど狭くすれば、このテーパーに沿ってタンクを入れることができ挿入しやすく、かつ、タンクとホルダーの隙間も小さくすることも可能である。
　【００２７】
　この例によれば、タンクホルダー６０を仕切壁６と別体で構成したので、モータ４６の交換が可能なうえで、タンクホルダー６０と仕切壁６の間に水密性を有したシール６１を設けたのでモータ４６部への水の侵入は抑えられたままとなる。
　また、タンクは水的につながりのないタンクホルダーの位置に設置されると共に、タンクホルダーに固定したモータとタンクホルダーにセットする給水タンクとの位置精度が出しやすい。
　【００２８】
発明の実施の形態３．
　図８はタンク１０、給水ポンプ４０の位置決めを説明するもので、給水タンク１０には図８（ｂ）の如く、吐出口４７をモータを挿入するタンク突出部に合わせて配置している。この拡大図（ａ）にはポンプの位置決めを、拡大図（ｃ）にはタンクの位置決めを示している。
　前述の実施の形態の例と同じ構成の自動製氷装置において、給水ポンプ４０の位置精度に対しての配慮を付加しているが、図８において７０は給水ポンプ４０と一体で設けたガイドであり、タンクのガイド受７２にはまりこみスラスト方向と図示方向のラジアル方向の位置ずれを抑制する。また、給水タンク１０にはガイド７３が設けられていて、タンクホルダー６０もしくは給水タンクコーナー４に設けられたガイド受７４にはまりこみ図示した２方向の位置ずれを抑制する。図９に示すように、給水ポンプからは吐出口４７が給水タンク１０のフランジ穴部１１０にはまりこんでいる。
　図９に示すように、給水タンク１０の上部にフタ１２があり、フタに一体に成形された押付部１２ｂによって吐出口４７を固定し、給水ポンプ４０の図示方向の位置ずれを抑制している。一方フタ１２により水受け部４８も一緒に覆うことができる。
　【００２９】
　この例によれば、給水ポンプ４０と給水タンク１０がガイド７０およびガイド受、フタ１２に設けた押付部１２ｂによって、位置ずれを防止しており、また給水タンク１０とタンクホルダー６０がガイド７３およびガイド受７４によって位置ずれを防止しているのでタンクホルダー６０に先の形態２に示すようなモータ４６を取り付けた時に、マグネット間の位置ずれを防止でき、磁石の中心ずれ等により磁力が変化して脱調することがなく確実に動力を伝達できる。
　またこの発明では、給水タンクには吐出口が設けられており、タンクホルダーにはその水受け部がタンクホルダーと一体で設けられていて、吐出口先端と給水タンク内の最大水位の関係が吐出口の方が上で、水受け部上部の淵は吐出口先端の方が下であり水受け部には製氷皿へつながる流出口が水受け部と一体で設けられているものである。
　【００３０】
　給水ポンプと給水タンクの間の位置決めとしてラジアル方向の一方とスラスト方向にガイドを設け、９０°異なる方向のラジアル方向の位置決めとしては、給水タンクのフタで決めた。また、給水タンクとタンクホルダーの間と位置決めとしてラジアル方向の一方とスラスト方向を決めるガイドを設けたので、モータ部の中心と、給水ポンプの中心がずれにくくなり、例えば第２の発明に係る自動製氷装置において、マグネット間の脱調現象が起こりにくくなる。
　なお、本例ではホルダーにモータを固定する例を説明したが、前述の如くモータは仕切壁に固定しておいてもよい。これによりモータ配線の接続端子、すなわちホルダー着脱時の接続端子が不要になる。
　しかも、ホルダーを冷蔵庫の大きさ、形状、取付け構造の違いに合わせても、内部のタンク他は標準化が可能になる。
　【００３１】
　またさらに、給水タンクには吐出口が設けられており、タンクホルダーにはその水受け部がタンクホルダーと一体で設けられていて、吐出口先端と給水タンク内の最大水位の関係が吐出口の方が上で、水受け部上部の淵に対しては吐出口先端のが下であるので、給水ポンプ停止時に吐出口先端で水が切れ、かつ水受け部から水があふれでることはない。
　【００３２】
　次に上記と同じ構成の自動製氷装置において、給水ポンプ４０の構造を変更したものである。図１０において５３はインペラフタ、５９はキャップ、５８は給水ポンプ４０に一体で設けたネジ部５８である。
　インペラ４１にはフランジを有した軸５７とボール５６と着磁板４３とマグネット４２が取り付けられ、インペラフタ５３によって完全に封入される。インペラフタ５３はインペラ４１に接着もしくは材料がＰＬ樹脂ならば熱溶着等によって完全に接着されている。以上のように構成されたインペラ４１の軸５７が給水ポンプ４０の軸受５２に挿入され、軸受５２と反対側の開放部はキャップ５９によって閉じられ、ネジ部５８によって締結される。
　【００３３】
　インペラの軸５７はインペラ４１に回転自在に支持され、かつそのフランジにより一方への抜け止めが、またボールを介してフランジふたが他方への抜け止めがあり、インペラはその内部に収納した軸と一緒になって軸受け５２に差し込まれている。更にボール５６はキャップ５９に接触して回転するので、結局インペラは軸受け５２とキャップ５９に支持されて回転できる。
　この形態によれば給水ポンプ４０の内部は分割可能なため万が一給水ポンプ４０内に異物が混入しても洗浄除去することが可能となる。また必要以上に分解部品が多くはならない。
　すなわち、少なくとも給水ポンプのケーシングが２分割、インペラ部と合計３分割もしくはこれ以上に分解可能であるので、ユーザーはキャップをはずして給水ポンプの内部を洗浄することができるとともに、場合によってはインペラフタをネジ止めなどにして分割可能にすればこのインペラの内部まで洗浄することもできる。
　【００３４】
　次に、主に冷蔵庫の部屋構成を変形したものを図１１に示す。冷蔵室２は冷凍室３の下方に位置しており、既に述べたものと同じ構成のタンクユニット１４の吐出口先端にＪＯＩＮＴ部１３を有し、冷蔵庫本体側のＪＯＩＮＴ部１３とＪＯＩＮＴする。
　【００３５】
　さらに、冷蔵庫の部屋構成を変形した例を図１２に示す。冷蔵室２と冷凍室３は隣り合わせで配置されていて、給水構造は実施の形態１と同様である。
　【００３６】
　図１１、図１２の例の如く、タンクユニット１４は、モータ４６とタンク１０をタンクホルダー６０にて一体に構成したユニットであり、これを庫内側壁に設けてある案内リブ１５に取り付けることにより簡単にしかも一体として着脱が可能となる。
　これによって外部に取り出してからの洗浄も容易に行える。
　【００３７】
　なお、モータ４６はタンクホルダーとは別個に庫内壁に設けてもよいことは前述の説明であきらかである。
　このようにモータを別けることによりモータ電源の配線に端子が不要になり簡単化できる。
　また、案内リブは鍵形とし、上下２本の方向を逆にしておき、タンクもしくはホルダーにこの鍵に引掛けられる係合部を設けると取付が簡単になる。
　【００３８】
　【発明の効果】
　以上説明した通り、この発明に係る冷蔵庫の給水装置は、冷蔵庫本体に収納され、冷蔵庫本体内にて給水を行う冷蔵庫の給水装置において、冷蔵庫本体の収納物を冷却する室内に設けられ、給水を貯留する密閉されたタンクと、このタンク内に配設され、タンク内の水を吐出する、可動部に磁石を固定したポンプと、ポンプの外で前記タンクに隣接して固定され、可動部の磁石と前記ポンプの磁石と、それぞれの磁石を少なくとも前記タンク壁との間の隙間を介して対向させ、非接触にて回転力をタンクの外からタンクの中へ伝達させ、ポンプに駆動力を与える駆動手段と、ポンプと接続され、タンクに接続され、タンクの外へ給水するとともに、ポンプの位置を決めて固定する吐出手段
であって、吐出口先端はタンク内の最大水位より上方に位置し、この吐出口先端から流出した水が水受け部を通る吐出手段
　【００３９】
　また、タンクを収納する給水ホルダーを備え、駆動手段を前記タンクホルダーに固定した
と共に、前記タンクと前記タンクホルダーの間の位置決めとしてダジアル方向の一方とスラスト方向を決めるガイドを設けた
　【００４０】
　【００４１】
【図面の簡単な説明】
　【図１】　この発明の実施の形態１における全体構成を示す図面である。
　【図２】　この発明の自動製氷装置を示す断面図である。
　【図３】　図２のような自動製氷装置の要部拡大説明図である。
　【図４】　この発明の給水ポンプの動作を示す説明図である。
　【図５】　この発明の給水ポンプの制御部を示す図である。
　【図６】　この発明の給水ポンプの動作を示すタイムチャート図である。
　【図７】　この発明の実施の形態２における自動製氷装置を示す斜視断面図である。
　【図８】　この発明の実施の形態３における自動製氷装置を示す斜視図である。
　【図９】　この発明の自動製氷装置を示す局部断面図である。
　【図１０】　この発明の給水ポンプの他の形態を示す断面図である。
　【図１１】　この発明の他の形態の自動製氷装置を示す図である。
　【図１２】　この発明の他の形態の自動製氷装置を示す図である。
　【図１３】　従来の冷蔵庫を示す断面図である。
　【図１４】　従来の自動製氷装置を示す図である。
　【図１５】　従来の自動製氷装置の主要部を示す図である。
　【符号の説明】
　４０　給水ポンプ、４１　インペラ、４２　マグネット、４３　着磁板、４４　マグネット、４５　着磁板、４６　モータ、４７　吐出口、４８　水受け部、４９　流出口、５２　軸受、５３　インペラフタ、５６　ボール、５７　軸、５８　ネジ、５９　キャップ、６０　タンクホルダー、６１　シール、６２　モータケース、６３　ネジ、７０　ガイド、７２　ガイド受、７３　ガイド、７４　ガイド受、８０　フランジ、８１　吸込口、１１０　穴、１１１　メッシュフィルタ、１２ｂ　押付部。